(57)【要約】【課題】操作者がウェブページ上に表示される複数の他のウェブページの特定情報から、操作者にとって有用な他のウェブページを判定しやすくできる携帯端末機器を提供すること。【解決手段】他のウェブページを特定する特定情報を含むウェブページの情報と、ウェブページに含まれる他のウェブページの閲覧状態に係る情報とを受信する受信部と、受信部により受信された他のウェブページの閲覧状態に係る情報に基づいて、ウェブページに含まれる特定情報の表示態様を制御する制御部と、制御部により表示態様が制御された他のウェブページを特定する特定情報を含むウェブページを表示する表示部と、を有することで上記課題を解決する。【選択図】        図２
2010152746.tif 000002
【特許請求の範囲】
【請求項１】
他のウェブページを特定する特定情報を含むウェブページの情報と、前記ウェブページに含まれる前記他のウェブページの閲覧状態に係る情報とを受信する受信部と、
前記受信部により受信された前記他のウェブページの閲覧状態に係る情報に基づいて、前記ウェブページに含まれる前記特定情報の表示態様を制御する制御部と、
前記制御部により表示態様が制御された前記他のウェブページを特定する特定情報を含むウェブページを表示する表示部と、を有することを特徴とする携帯端末機器。
【請求項２】
前記制御部は、前記他のウェブページの閲覧状況に係る情報に基づいて、前記特定情報の大きさを変更することにより前記特定情報の前記表示態様を制御することを特徴とする請求項１に記載の携帯端末機器。
【請求項３】
前記制御部は、前記特定情報を前記表示部に表示する際に必要な表示領域が前記表示部の表示可能領域より広い領域を必要とする場合に、少なくとも一部の前記特定情報の大きさを前記受信部が受信した前記ウェブページの情報で規定されている大きさよりも小さくすることにより前記特定情報の前記表示態様を制御することを特徴とする請求項１または２に記載の携帯端末機器。
【請求項４】
前記他のウェブページの閲覧状態に係る情報は、該他のウェブページへのアクセス数であることを特徴とする請求項１から３のいずれか１項に記載の携帯端末機器。
【請求項５】
前記他のウェブページに対するアクセス数は、設定された期間におけるアクセス数であることを特徴とする請求項４に記載の携帯端末機器。
【請求項６】
前記設定された期間は、前記受信部により前記他のウェブページに対するアクセス数を受信した時点を起点として遡った期間であることを特徴とする請求項５に記載の携帯端末機器。
【請求項７】
前記請求項１から６のいずれか１項に記載の携帯端末機器と、
前記携帯端末機器と通信回線を介して接続され、前記携帯端末機器に前記他のウェブページを特定する特定情報を含むウェブページの情報と、前記ウェブページに含まれる前記他のウェブページの閲覧状態に係る情報とを送信する送信部を備えるサーバとを有することを特徴とする通信システム。
【請求項８】
ウェブページに対して、該ウェブページの閲覧状態に係る情報を作成する情報作成部と、
前記ウェブページを特定する特定情報を示す文字列を含む情報に、前記情報作成部により作成された前記ウェブページの閲覧状態に係る情報を対応させて記憶する記憶部と、
前記ウェブページに含まれる他のウェブページの特定情報を検出し、検出した該他のウェブページの特定情報により、前記記憶部から、該他のウェブページの閲覧状況に係る情報を検出し、該他のウェブページの閲覧状況に係る情報に基づいて、前記ウェブページに含まれる他のウェブページの特定情報の表示態様を加工する加工部と、
送信要求元から送信される、前記ウェブページを特定する特定情報を含む該ウェブページの前記送信要求を受信する受信部と、
前記受信部が受信した送信要求に含まれる前記特定情報に基づいて送信するウェブページを特定し、特定したウェブページを前記加工部により加工させる制御部と、
前記加工部により加工された前記ウェブページの情報を前記送信要求元に送信する送信部と、を有することを特徴とするサーバ。
【請求項９】
請求項８に記載のサーバと、
前記サーバと通信回線を介して接続され、前記サーバから送信される情報を受信する情報受信部及び、受信した前記加工された情報を表示する表示部を備える携帯端末機器とを有することを特徴とする通信システム。
【請求項１０】
表示部によりウェブページを特定する特定情報を表示する表示ステップと、
受信部により前記ウェブページの閲覧状態に係る情報を受信する受信ステップと、
前記受信ステップにおいて受信された前記ウェブページの閲覧状態に係る情報に基づいて前記表示ステップにおいて表示される前記特定情報の表示態様を制御する制御ステップと、を有することを特徴とする表示方法。
【請求項１１】
ウェブページの閲覧状態に係る情報を作成するステップと、
前記ウェブページを特定する特定情報を示す文字列を含む情報に前記ウェブページの閲覧状態に係る情報を対応させて記憶するステップと、
送信要求元から送信された前記ウェブページを特定する特定情報を含む該ウェブページの送信要求を受信するステップと、
前記送信要求に含まれる特定情報に基づいて送信するウェブページを特定し、特定した前記ウェブページに含まれる他のウェブページを特定する特定情報を検出し、検出した他のウェブページの閲覧状態に係る情報に基づいて、前記ウェブページに含まれる前記他のウェブページの前記特定情報を加工するステップと、
加工されたウェブページの情報を前記送信要求元へ送信するステップと、
送信されたウェブページの情報を前記送信要求元が受信し、受信したウェブページを表示させるステップと、を有することを特徴とする表示方法。
【発明の詳細な説明】
【技術分野】
【０００１】
本発明は、通信機能を有する携帯端末機器、携帯端末機器と通信するサーバ、携帯端末機器とサーバとで構成される通信システム及び画像を表示する表示方法に関するものであり、より詳しくは、通信機能によりサーバからウェブページを取得する携帯端末機器、携帯端末機器にウェブページを送信するサーバ、携帯端末機器とサーバとの間でウェブページの送受信を行う通信システム及びウェブページを表示する表示方法に関するものである。
【背景技術】
【０００２】
近年、携帯電話機等の携帯端末機器には、通信回線によりサーバと通信して、ネットワーク上のウェブページを取得し、取得したウェブページを画面に表示させる機能を有するものが多くなっている。携帯端末機器は、通常、取得したウェブページの情報に基づいて、そのまま表示部に表示させる。
【０００３】
これに対して、ウェブページをより好適に閲覧できるようにするために、ウェブページの情報を用い、ユーザに合わせて、ウェブページの表示方法を変更する方法が提案されている。例えば、特許文献１には、データをページ単位で表示処理する閲覧手段が表示するデータを、受動的な閲覧に適した表示方式により表示されるように加工する処理方法であって、所定の表示方式にもとづいて、少なくともデータを分割する分割位置と、分割位置で分割された分割データごとの表示時間と、分割データ同士の対応関係とを分析する分析処理過程と、分析処理過程の処理結果をもとに、データを分割し、分割データを閲覧手段で解釈されページ単位で表示処理されるマークアップ言語で記述される受動型閲覧用データに加工するデータ生成処理過程と、を備えることを特徴とする受動型閲覧用データ加工処理方法が記載されている。
【０００４】
また、特許文献２には、メニュー表示制御装置であるが、ユーザが頻繁に変更する設定項目の確認・特定を容易に行えるように、ユーザによる設定項目の変更回数を、設定項目毎にカウントしてメモリ部に記憶させ、変更回数によって文字の大きさを変化させることが記載されている。
【０００５】
また、特許文献３には、端末の画像表示能力に適した状態のコンテンツ（画像）を配信するために、クライアント端末からのコンテンツの送信要求を受信する受信手段と、受信された送信要求の対象であるコンテンツを取得するコンテンツ取得手段と、クライアント端末の画面表示能力を取得する表示能力取得手段と、取得された画面表示能力に応じて、取得されたコンテンツの加工を行なう加工手段と、加工されたコンテンツをクライアント端末に送信する送信手段とを備えた通信システムが記載されている。
【０００６】
【特許文献１】特許第３９４９９２３号公報
【特許文献２】特開２００３−１８４８９号公報
【特許文献３】特開２００１−２３６２０２号公報
【発明の開示】
【発明が解決しようとする課題】
【０００７】
ここで、ウェブページには、表示しているウェブページに関連する情報が記載されている他のウェブページを特定する特定情報が含まれて表示されているものがある。携帯端末機器においても、表示されているウェブページに含まれている特定情報を選択し、他のウェブページの情報を取得し表示させることで、ウェブページに関連のある他のウェブページを閲覧することができる。このように、操作者は、ウェブページに含まれるリンク情報を利用することで、関連のあるまたは操作者の興味があるウェブページを次々に閲覧することができる。
【０００８】
しかしながら、操作者によって、閲覧したいウェブページは異なるため、ウェブページをそのまま表示しているのみでは、特定情報のうち、どの特定情報が操作者にとって有用なものであるかを判定することができない。
【０００９】
本発明は、上記に鑑みてなされたものであって、操作者がどの特定情報が操作者にとって有用なものかを判定することができる携帯端末機器、サーバ、通信システム及び表示方法を提供することを目的とする。
【課題を解決するための手段】
【００１０】
上述した課題を解決し、目的を達成するために、本発明は、携帯端末機器であって、他のウェブページを特定する特定情報を含むウェブページの情報と、前記ウェブページに含まれる前記他のウェブページの閲覧状態に係る情報とを受信する受信部と、前記受信部により受信された前記他のウェブページの閲覧状態に係る情報に基づいて、前記ウェブページに含まれる前記特定情報の表示態様を制御する制御部と、前記制御部により表示態様が制御された前記他のウェブページを特定する特定情報を含むウェブページを表示する表示部と、を有することを特徴とする。
【００１１】
ここで、前記制御部は、前記他のウェブページの閲覧状況に係る情報に基づいて、前記特定情報の大きさを変更することにより前記特定情報の前記表示態様を制御することが好ましい。
【００１２】
また、前記制御部は、前記特定情報を前記表示部に表示する際に必要な表示領域が前記表示部の表示可能領域より広い領域を必要とする場合に、少なくとも一部の前記特定情報の大きさを前記受信部が受信した前記ウェブページの情報で規定されている大きさよりも小さくすることにより前記特定情報の前記表示態様を制御することが好ましい。
【００１３】
また、前記他のウェブページの閲覧状態に係る情報は、該他のウェブページへのアクセス数であることが好ましい。
【００１４】
また、前記他のウェブページに対するアクセス数は、設定された期間におけるアクセス数であることが好ましい。
【００１５】
また、前記設定された期間は、前記受信部により前記他のウェブページに対するアクセス数を受信した時点を起点として遡った期間であることが好ましい。
【００１６】
また、本発明は、通信システムであって、上記いずれかに記載の携帯端末機器と、前記携帯端末機器と通信回線を介して接続され、前記携帯端末機器に前記他のウェブページを特定する特定情報を含むウェブページの情報と、前記ウェブページに含まれる前記他のウェブページの閲覧状態に係る情報とを送信する送信部を備えるサーバとを有することを特徴とする。
【００１７】
上述した課題を解決し、目的を達成するために、本発明は、サーバであって、ウェブページに対して、該ウェブページの閲覧状態に係る情報を作成する情報作成部と、前記ウェブページを特定する特定情報を示す文字列を含む情報に、前記情報作成部により作成された前記ウェブページの閲覧状態に係る情報を対応させて記憶する記憶部と、前記ウェブページに含まれる他のウェブページの特定情報を検出し、検出した該他のウェブページの特定情報により、前記記憶部から、該他のウェブページの閲覧状況に係る情報を検出し、該他のウェブページの閲覧状況に係る情報に基づいて、前記ウェブページに含まれる他のウェブページの特定情報の表示態様を加工する加工部と、送信要求元から送信される、前記ウェブページを特定する特定情報を含む該ウェブページの送信要求を受信する受信部と、前記受信部が受信した前記送信要求に含まれる前記特定情報に基づいて送信するウェブページを特定し、特定したウェブページを前記加工部により加工させる制御部と、前記加工部により加工された前記ウェブページの情報を前記送信要求元に送信する送信部と、を有することを特徴とする。
【００１８】
また、本発明は、通信システムであって、上記に記載のサーバと、前記サーバと通信回線を介して接続され、前記サーバから送信される情報を受信する情報受信部及び、受信した前記加工された情報を表示する表示部を備える携帯端末機器とを有することを特徴とする。
【００１９】
上述した課題を解決し、目的を達成するために、本発明は、表示方法であって、表示部によりウェブページを特定する特定情報を表示する表示ステップと、受信部により前記ウェブページの閲覧状態に係る情報を受信する受信ステップと、前記受信ステップにおいて受信された前記ウェブページの閲覧状態に係る情報に基づいて前記表示ステップにおいて表示される前記特定情報の表示態様を制御する制御ステップと、を有することを特徴とする。また、上述した課題を解決し、目的を達成するために、本発明は、携帯端末機器が通信回線を介してウェブページの情報を受信し、受信したウェブページを表示部に表示させる表示方法であって、ウェブページの情報及び該ウェブページにウェブページを特定する特定情報が含まれている他のウェブページの閲覧状態に係る情報を受信するステップと、前記他のウェブページの閲覧状態に係る情報に基づいて前記ウェブページに含まれる前記特定情報の表示態様を変更するステップと、前記特定情報の前記表示態様が変更された前記ウェブページを前記表示部に表示するステップと、を有することを特徴とする。
【００２０】
上述した課題を解決し、目的を達成するために、本発明は、ウェブページの閲覧状態に係る情報を作成するステップと、前記ウェブページを特定する特定情報を示す文字列を含む情報に前記ウェブページの閲覧状態に係る情報を対応させて記憶するステップと、送信要求元から送信された前記ウェブページを特定する特定情報を含む該ウェブページの送信要求を受信するステップと、前記送信要求に含まれる特定情報に基づいて送信するウェブページを特定し、特定した前記ウェブページに含まれる他のウェブページを特定する特定情報を検出し、検出した他のウェブページの閲覧状態に係る情報に基づいて、前記ウェブページに含まれる前記他のウェブページの前記特定情報を加工するステップと、加工されたウェブページの情報を前記送信要求元へ送信するステップと、送信されたウェブページの情報を前記送信要求元が受信し、受信したウェブページを表示させるステップと、を有することを特徴とする。
【発明の効果】
【００２１】
本発明にかかる携帯端末機器、サーバ、通信システム及び表示方法は、他のウェブページの閲覧状態に係る情報に基づいてウェブページに含まれる特定情報の表示態様を制御することで、操作者がどの特定情報が操作者にとって有用なものかを判定することができるという効果を奏する。
【発明を実施するための最良の形態】
【００２２】
以下に、本発明にかかる携帯端末機器、サーバ、通信システム及び表示方法の実施形態を図面に基づいて詳細に説明する。なお、この実施形態によりこの発明が限定されるものではない。例えば、以下に示す実施形態では、携帯端末機器が、いわゆる携帯電話機の場合として説明するが、本発明はこれに限定されない。本発明の携帯端末機器は、ネットワークまたは外部の端末とデータの送受信を行う機能を有する種々の携帯端末機器、例えば、ＰＤＡ（Personal Digital Assistant）、ポータブルナビゲーション装置、携帯ゲーム機や携帯テレビ等にも用いることができる。
【００２３】
図１は、本発明にかかる通信システムを有するネットワークシステムの一実施形態の概略構成を示す模式図である。ネットワークシステム２は、ＰＣ４と、サーバ６と、ネットワーク回線７と、サーバ８と、携帯端末機器１０とを有する。ここで、図１では、ＰＣ４、サーバ６、サーバ８を各一台ずつのみ示したが、ネットワークシステム２は、複数台のＰＣ４、複数台のサーバ６、複数台のサーバ８で構成されている。また、複数台のサーバ６と複数台のサーバ８とは、ネットワーク回線７で互いに繋がっており、サーバ６には、複数のＰＣ４が接続されている。
【００２４】
ＰＣ（Personal Computer）４は、ホームページ等のウェブページを作成している装置であり、有線、無線によりサーバ６と通信可能な状態で接続されている。なお、ＰＣ４は、いわゆるパソコンであり、ウェブページの作成以外にも、種々の機能を有する。なお、ウェブページは、ＨＴＭＬデータ、ＸＨＴＭＬデータ、スタイルシート、画像データ等の組み合わせにより構成されている。
【００２５】
サーバ６は、複数のＰＣ４と接続されており、ＰＣ４との間でデータの送受信を行う。また、サーバ６は、他のサーバ６やサーバ８とも回線を通じて接続されており、他のサーバ６や、サーバ８との間でもデータの送受信を行う。また、サーバ６は、ＰＣ４で作成されたウェブページをデータとして記憶している。
【００２６】
ネットワーク回線７は、複数のサーバ６と複数のサーバ８とを有線、無線で接続しており、サーバ６とサーバ８との間でデータの送受信を行う。
【００２７】
サーバ８は、複数の携帯端末機器１０と無線により通信可能な状態で接続されており、携帯端末機器１０との間でデータの送受信を行う。また、サーバ８は、サーバ６と同様に、サーバ６や他のサーバ８とも回線を通じて接続されており、サーバ６や、他のサーバ８との間でもデータの送受信を行う。サーバ８については後ほど詳細に説明する。
【００２８】
携帯端末機器１０は、サーバ８と無線により通信可能な状態で接続されており、サーバ８との間でデータの送受信を行う。携帯端末機器１０については後ほど詳細に説明する。
【００２９】
ネットワークシステム２は、携帯端末機器１０からＰＣ４で作成されたウェブページの送信要求がサーバ８に送られると、サーバ８は、ＰＣ４で作成したウェブページのデータが記憶されているサーバ６との間で通信を行い、サーバ６からウェブページのデータを取得する。サーバ８は、取得したウェブページのデータに後述する処理を行い、携帯端末機器１０に送信する。このように、ネットワークシステム２は、ネットワーク回線７により、サーバ６とサーバ８とを繋げ、端末からの送信要求に基づいて、他のサーバに記憶されているウェブページのデータを取得し、端末に送信する。なお、サーバに接続されている端末からサーバ自身に記憶されているウェブページのデータの送信要求があった場合は、他のサーバを介することなく、自らのサーバに記憶されているウェブページのデータを、送信要求を送った端末に送信する。
【００３０】
次に、ネットワークシステム２のうち、サーバ８及び携帯端末機器１０について詳細に説明する。図２は、本発明にかかるサーバ及び携帯端末機器の一実施形態の概略構成を示すブロック図であり、図３は、図２に示す携帯端末機器の外観の概略構成を示す正面図である。図２に示すように、サーバ８は、受信部及び送信部としての通信部１２と、制御部１４と、記憶部１６とを有する。
【００３１】
通信部１２は、基地局を介して携帯端末機器１０と信号回線を確立し、情報通信を行う。また、有線、無線により、サーバ６や、他のサーバ８との間でも情報通信を行う。
【００３２】
制御部１４は、通信部１２や、その他サーバ８の各部の動作を制御し、各部から供給される情報を処理する。この制御部１４は、通信制御部６０、対応関係作成部６２と、特定情報検出部６４とを有する。
通信制御部６０は、通信部１２の動作を制御し、携帯端末機器１０からのウェブページの送信要求を受信したら、受信した送信要求に基づいて通信部１２を介してサーバ６から、携帯端末機器１０から送信要求があったウェブページを取得する。ウェブページを取得したら、取得したウェブページを、後述するウェブページに含まれる他のウェブページの特定情報と送信回数との対応関係と共に、通信部１２を介して、送信要求を送信した携帯端末機器１０に送信する。
【００３３】
対応関係作成部６２は、通信部１２を介して情報通信を行う（つまり、他のサーバ６や他のサーバ８を介さず情報通信を行う）携帯端末機器１０にウェブページを送信した回数をウェブページ毎に数え、ウェブページとそのウェブページの送信回数との対応関係を作成し、記憶部１６に記憶させる。また、対応関係作成部６２は、通信部１２からウェブページを送信させる度に、記憶部１６に記憶させるウェブページと送信回数との対応関係を更新する。なお、このときウェブページの全てのデータと送信回数とを対応付けて対応関係を作成してもよいが、記憶部１６に記憶させるデータ量を少なくするために、ウェブページを特定する特定情報、例えばＵＲＬ（Uniform Resource Locator）、つまりアドレスと、その特定情報に係るウェブページを送信した回数とを対応付けて対応関係を作成することが好ましい。以下、本実施形態では、ウェブページの特定情報と、そのウェブページを送信した回数、つまり、操作者により閲覧された回数（つまり、アクセス数、以下「閲覧回数」ともいう。）との対応関係を作成するものとする。
【００３４】
特定情報検出部６４は、送信要求があったウェブページを通信部１２が他のサーバ６または他のサーバ８から受信したら、受信したウェブページのデータを解析し、ウェブページに含まれる他のウェブページの特定情報を検出する。特定情報検出部６４は、記憶部１６に記憶されているウェブページの特定情報と閲覧回数との対応関係から、検出したそれぞれの他のウェブページの特定情報の閲覧回数を検出する。その後、ウェブページに含まれる他のウェブページの特定情報とその閲覧回数との関係を示す情報（テーブル）を作成する。作成したウェブページに含まれる他のウェブページの特定情報とその閲覧回数との関係を示す情報は、上述したように、通信制御部６０により、ウェブページの情報と共に通信部１２を介して、送信要求を送信した携帯端末機器１０に送信される。
【００３５】
記憶部１６には、制御部１４で作成された、ウェブページの特定情報と、その特定情報に係るウェブページを送信した回数との対応関係が記憶されている。また、記憶部１６には、その他、サーバ８の各部を作動させるために必要なプログラムや、条件が記憶されており、必要に応じて制御部１４により読み出される。
【００３６】
次に、携帯端末機器１０について説明する。携帯端末機器１０は、図２及び図３に示すように、基本的に、ＣＰＵ（Central Processing Unit）２２と、メモリ２４と、受信部としての通信部２６と、操作部２８と、音声処理部３０と、表示部３２と、を有する。なお、携帯端末機器１０は、上記構成の他にも各種端子等、携帯端末機器として有する各種構成を有している。ここで、携帯端末機器の形状は特に限定されず、ヒンジで連結された２つの部材で構成され、折りたたみ可能な折りたたみ式携帯端末機器や、２つの部材をスライドさせるスライド式の携帯端末機器や、１つの箱型の携帯端末機器等が例示される。
【００３７】
ＣＰＵ２２は、携帯端末機器１０の全体的な動作を統括的に制御する処理部（制御部）である。すなわち、携帯端末機器１０の各種の処理が、操作部２８の操作や携帯端末機器１０のメモリ２４に保存されるソフトウェアに応じて適切な手順で実行されるように、通信部２６、音声処理部３０、表示部３２等の動作を制御する。携帯端末機器１０の各種の処理としては、例えば、回線交換網を介して行われる音声通話、電子メールの作成及び送受信、インターネットのＷｅｂ（World Wide Web）サイトの閲覧等がある。また、通信部２６、音声処理部３０、表示部３２等の動作としては、例えば、通信部２６による信号の送受信、音声処理部３０による音声の入出力、表示部３２による画像の表示等がある。
【００３８】
ＣＰＵ２２は、メモリ２４に保存されているプログラム（例えば、オペレーティングシステムプログラム、アプリケーションプログラム等）に基づいて処理を実行する。ＣＰＵ２２は、例えば、マイクロプロセッサユニット（ＭＰＵ：Micro Processor Unit）で構成され、前記プログラムで指示された手順にしたがって上述した携帯端末機器１０の各種の処理を実行する。すなわち、ＣＰＵ２２は、メモリ２４に保存されるオペレーティングシステムプログラムやアプリケーションプログラム等から命令コードを順次読み込んで処理を実行する。
【００３９】
ＣＰＵ２２は、複数のアプリケーションプログラムを実行する機能を有する。ＣＰＵ２２が実行するアプリケーションプログラムとしては、例えば、取得したウェブページの表示態様を制御する表示制御アプリケーションプログラムや、ゲームアプリケーションプログラム等の複数のアプリケーションプログラムがある。ここで、表示制御アプリケーションプログラムは、ウェブページに含まれる他のウェブページを特定する特定情報の表示態様をウェブページの閲覧回数に応じて制御するプログラムである。
【００４０】
メモリ２４には、ＣＰＵ２２での処理に利用されるソフトウェアやデータが保存されており、上述した、表示制御アプリケーションプログラムを作動させる表示制御タスク４６が保存されている。表示制御タスク４６については、後ほど詳述する。また、メモリ２４には、これらのタスク以外に、例えば、通信、ダウンロードされた画像データや音声データ等、あるいはメモリ２４に対する制御にＣＰＵ２２が用いるソフトウェア、通信相手の電話番号やメールアドレス等を保存し、管理するアドレス帳、発信音や着信音等の音声ファイル、ソフトウェアの処理過程で用いられる一時的なデータ等が保存されている。なお、ソフトウェアの処理過程で用いられるコンピュータプログラムや一時的なデータは、ＣＰＵ２２によってメモリ２４に割り当てられた作業領域へ一時的に保存される。メモリ２４は、例えば、不揮発性の記憶デバイス（ＲＯＭ：Read Only Memory等の不揮発性半導体メモリ、ハードディスク装置等）や、読み書き可能な記憶デバイス（例えば、ＳＲＡＭ：Static Random Access Memory、ＤＲＡＭ：Dynamic Random Access Memory）等で構成される。
【００４１】
通信部２６は、基地局によって割り当てられるチャネルを介し、基地局との間でＣＤＭＡ方式などによる無線信号回線を確立し、基地局との間で電話通信及び情報通信を行う。つまり、通信部２６が、基地局を介してサーバ８の通信部１２と情報通信を行う。
【００４２】
操作部２８は、図３に示すように、例えば、電源キー、通話キー、数字キー、文字キー、方向キー、決定キー、発信キーなど、各種の機能が割り当てられたキーで構成され、これらのキーがユーザの操作により入力されると、その操作内容に対応する信号を発生させる。そして、発生した信号は、ユーザの指示としてＣＰＵ２２へ入力される。
【００４３】
音声処理部３０は、マイク５０に入力される音声信号やスピーカ５２から出力される音声信号の処理を実行する。すなわち、音声処理部３０は、マイク５０から入力される音声を増幅し、Ａ／Ｄ変換（Analog1/Digital Conversion）を実行した後さらに符号化等の信号処理を施して、ディジタルの音声データに変換してＣＰＵ２２へ出力する。また、ＣＰＵ２２から送られる音声データに対して復号化、Ｄ／Ａ変換（Digital/Analog Conversion）、増幅等の処理を施してアナログの音声信号に変換してから、スピーカ５２へ出力する。また、図２及び図３に示すように、マイク５０と、スピーカ５２とは、携帯端末機器１０の両端にそれぞれ配置されている。
【００４４】
表示部３２は、図３に示すように所定の大きさの、液晶ディスプレイ（ＬＣＤ、Liquid Crystal Monitor）や、有機ＥＬ（Organic Electro-Luminescence）パネルなどの表示パネルを備え、ＣＰＵ２２から供給される映像データに応じた映像を表示パネルに表示させる。
【００４５】
次に、ネットワークシステム２の動作について説明する。ここで、図４は、サーバの処理動作の一例を示すフロー図であり、図５は、携帯端末機器の処理動作の一例を示すフロー図である。また、図６−１及び図６−２は、それぞれ、サーバの処理動作を説明するための説明図であり、図７−１及び図７−２は、それぞれ表示部に表示されるウェブページを模式的に示すイメージ図である。
【００４６】
まず、携帯端末機器１０からサーバ８にウェブページの送信要求（以下「リクエスト」ともいう。）が送信される。ここでウェブページの送信要求は、例えば、特定情報と送信要求の指示と送信要求を送信した携帯端末機器を特定できる端末情報とで構成された情報である。ここで、送信要求をするウェブページの特定情報は、操作者により直接入力された特定情報であったり、ウェブページ閲覧中に操作者のクリック等で受信することが決定されたウェブページに含まれる他のウェブページの特定情報であったりする。
【００４７】
ウェブページの送信要求を受信したサーバ８は、図４に示す順序で処理を行う。まず、サーバ８は、携帯端末機器１０からのリクエストを受信したら、ステップＳ１０として、リクエストされたウェブページのデータを取得する。具体的には、サーバ８は、リクエストに含まれるウェブページの特定情報からウェブページを記憶しているサーバ６を特定し、そのサーバ６と通信を行い、リクエストされたウェブページのデータ、つまりウェブページの情報、例えばＨＴＭＬデータを取得する。
【００４８】
サーバ８は、リクエストされたウェブページのデータを取得したら、ステップＳ１２として、特定情報検出部６４で、取得したウェブページにリンク情報があるかを判定する。つまり、ウェブページに他のウェブページの特定情報があるかを判定する。サーバ８は、ステップＳ１２でリンク情報があると判定したらステップＳ１４に進み、リンク情報がないと判定したらステップＳ２０に進む。
【００４９】
サーバ８は、ステップＳ１４として、取得したウェブページに含まれるリンク情報を取得する。つまり、サーバ８は、特定情報検出部６４でウェブページに含まれる他のウェブページの特定情報を検出し、取得する。
【００５０】
サーバ８は、他のウェブページの特定情報を取得したら、ステップＳ１６として、取得したリンク情報のページクリック数（つまり、閲覧回数、アクセス数）を検索し、ステップＳ１８に進む。つまり、サーバ８は、ステップＳ１６として、対応関係作成部６２により作成され、記憶部１６に記憶されたウェブページと閲覧回数との対応関係を読み出し、取得した他のウェブページの特定情報から各特定情報にかかるウェブページの閲覧回数を検索し、検出する。例えば、ウェブページにリンクＡからリンクＨまで８個の特定情報が含まれている場合には、図６−１に示すように、リンクＡからリンクＨまでのそれぞれのリンク情報の閲覧回数を検出する。
【００５１】
次に、サーバ８は、ステップＳ１８として、取得したリンク情報をページクリック数でソートする。そして、特定情報検出部６４は、ソートしたリンク情報（つまり特定情報）とページクリック数（つまり閲覧回数）との関係を示す情報（テーブル）を作成する。例えば、図６−１に示す特定情報と閲覧回数との関係に基づいて、図６−２に示すように、閲覧回数が多い順に特定情報を並び替えた表の情報を作成する。
【００５２】
サーバ８は、特定情報検出部６４によりウェブページに含まれる特定情報と閲覧回数との対応関係の情報を作成したら、ステップＳ２０として、作成したウェブページに含まれる特定情報と閲覧回数との対応関係の情報と、サーバ６から取得したウェブページの情報とを送信要求を送信した携帯端末機器１０に送信する。なお、サーバ８は、ステップＳ１２で、ウェブページにリンク情報が含まれていないと判定した場合は、ウェブページのデータのみを携帯端末機器１０に送信する。
【００５３】
サーバ８は、携帯端末機器１０に情報を送信したら、ステップＳ２２として、情報を送信したウェブページのページクリック数をインクリメントする。具体的には、サーバ８は、通信制御部６０の制御により通信部１２から、携帯端末機器１０にウェブページの情報とそれに付随した情報とを送信したら、ウェブページを送信したことを対応関係作成部６２に通知する。ウェブページが送信されたことを通知された対応関係作成部６２は、送信されたウェブページの閲覧回数を１増加させ、記憶部１６に記憶されている対応関係を更新する。サーバ８は、ウェブページのページクリック数をインクリメントしたら処理を終了する。
【００５４】
ウェブページの送信要求を送信した携帯端末機器１０は、図５に示す順序で処理を行う。まず、ステップＳ３０として、通信部２６で、サーバ８から送信されたデータ、つまり、サーバ６から取得したウェブページとウェブページに含まれる特定情報と閲覧回数との対応関係の情報とを受信する。
【００５５】
携帯端末機器１０は、サーバ８から送信されたデータを受け取ったら、メモリ２４から表示制御タスク４６を読み出し、表示制御アプリケーションプログラムを立ち上げ、送信されたデータを処理する。具体的には、携帯端末機器１０のＣＰＵ２２は、ステップＳ３２として、ウェブページに含まれる特定情報と閲覧回数との対応関係の情報から、受信したウェブページにリンク情報が３個以上含まれているかを検出する。ＣＰＵ２２は、リンク情報数が３個以上と判定したらステップＳ３４に進み、リンク情報数が３個より少ないと判定したら、ステップＳ４６に進む。
【００５６】
ＣＰＵ２２は、ステップＳ３４として、全てのリンク情報のうち閲覧回数が上位（リンク情報の個数÷３）番目（小数点第一位切捨て）までに含まれるリンク情報をＡグループと設定し、ステップＳ３６に進む。つまり、本実施形態では、ＣＰＵ２２は、８個のリンク情報のうち、閲覧回数が上位２番目までとなる２つのリンク情報、リンクＥとリンクＡとをＡグループとする。
【００５７】
次に、ＣＰＵ２２は、ステップＳ３６として、全てのリンク情報のうち閲覧回数が上位（リンク情報の個数÷３）番目（小数点第一位切り上げ）から、下位（リンク情報の個数÷３）番目（小数点第一位切り上げ）までに含まれるリンク情報をＢグループと設定し、ステップＳ３８に進む。つまり、本実施形態では、ＣＰＵ２２は、８個のリンク情報のうち、閲覧回数が上位３番目から下位３番目、つまり上位６番目までとなる４つのリンク情報、リンクＨ、リンクＣ、リンクＢ、リンクＤ、をＢグループとする。
【００５８】
次に、ＣＰＵ２２は、ステップＳ３８として、全てのリンク情報のうち閲覧回数が下位（リンク情報の個数÷３）番目（小数点第一位切捨て）までに含まれるリンク情報をＣグループと設定する。つまり、本実施形態では、ＣＰＵ２２は、８個のリンク情報のうち、閲覧回数が下位２番目までとなる２つのリンク情報、リンクＧとリンクＦとをＣグループとする。
【００５９】
ＣＰＵ２２は、ステップＳ３４からステップＳ３８で、リンク情報をＡグループ、Ｂグループ、Ｃグループの３つに分けたら、ステップＳ４０に進む。ＣＰＵ２２は、ステップＳ４０として、Ａグループのリンク情報の文字サイズ情報を文字サイズ大に置換し、ステップＳ４２に進む。次に、ＣＰＵ２２は、ステップＳ４２として、Ｂグループのリンク情報の文字サイズ情報を文字サイズ中に置換し、ステップＳ４４に進む。次に、ＣＰＵ２２は、ステップＳ４４として、Ｃグループのリンク情報の文字サイズ情報を文字サイズ小に置換し、ステップＳ４６に進む。
【００６０】
次に、ＣＰＵ２２は、ステップＳ４６として、ステップＳ４０からステップＳ４４によりリンク情報の文字サイズが変更されたウェブページを表示部３２に表示させ、処理を終了する。
【００６１】
このように、サーバ８及び携帯端末機器１０は、ウェブページに含まれるリンク情報の文字の大きさを、リンク情報が示すウェブページの閲覧回数によって変えることで、例えば、図７−１に示すように、表示部に均一な大きさで表示されていたリンク情報を、図７−２に示すように、表示する大きさを閲覧回数のグループによって異なる大きさにすることができる。本実施形態では、より閲覧回数の多いウェブページのリンク情報を他のリンク情報より大きく表示し、強調することで、操作者は、各ウェブページを閲覧しなくても、どのリンク情報の先のウェブページが操作者にとって有用なものかを判定することができる。
【００６２】
また、操作者にとって重要度が低いと思われるウェブページのリンク情報は表示を小さくすることで、表示部に表示できる情報量を多くすることができる。また、操作者にとって重要度が低い部分を小さくしているため、表示部には、操作者に必要な情報をより多く表示することができる。また、既存の検索エンジンで検索した結果を表示させる場合であっても、検索エンジンで抽出された各ウェブページの中から閲覧回数を加味して、表示させるウェブページを選択することができる。これにより、操作者にとって有用なウェブページを短時間で発見する可能性をより高くすることができる。
【００６３】
なお、上記実施形態では、文字の大きさを大、中、小とするようにしたが、本発明においては文字の大きさは、特に限定されない。また、特定情報を表示部に表示する際に必要な領域が表示部の表示領域より広い場合に、文字を標準の大きさより大きくせず、閲覧回数が少なくなるにつれて、徐々に小さくするようにすることが好ましい。このように、文字を大きくしないことで、表示部に表示できる情報量をより多くすることができる。
【００６４】
また、上記実施形態では、１つのウェブページ上に３つ以上の特定情報が含まれている場合に各特定情報の表示態様を制御するようにしたが、本発明はこれに限定されず、２つ以上の場合に制御するようにしても４つ以上の場合に制御するようにしてもよい。また、上記実施形態では、ステップＳ３４からステップＳ３８で、リンク情報を３つのグループに分けたが、分けるグループ数は特に限定されず、２つのグループに分けても４つ以上のグループに分けてもよい。また、各グループの数を略均一にする必要もなく、任意の割合でグループ分けをすればよい。
【００６５】
また、相対的な閲覧回数でグループ分けすることに限定されず、絶対的な閲覧回数でグループ分けするようにしてもよい。具体的には、一万回以上はＡグループ、千回以上一万回未満はＢグループ、千回未満はＣグループとしてもよい。この場合は、例えば、Ａグループ、Ｂグループ、Ｃグループの順に表示する大きさが小さくなるように設定することで、ウェブページ上の特定情報を見ることで、閲覧回数の多いウェブページを把握することができる。
【００６６】
また、特定情報は、グループに分ける必要もなく、ウェブページの特定情報の表示態様を１つずつ別々に制御するようにしてもよい。例えば、閲覧回数が多い特定情報から少ない特定情報になるに従って徐々に表示を小さくするようにしてもよい。さらに、上記実施形態では、閲覧回数が多いリンク情報つまり特定情報ほど大きく表示させるようにしたが、閲覧回数が少ないリンク情報の方を大きく表示させるようにしてもよい。操作者によっては、閲覧回数の少ないウェブページを必要としている場合もあるため、求める特性のウェブページを大きく表示させることで、操作者が必要とするウェブページの特定情報を目立つように表示させることが出来る。なお、閲覧回数と表示方法との関係は、操作者の設定により変更できるようにすることが好ましい。
【００６７】
また、本発明において、ウェブページ上の特定情報を閲覧回数により区別する方法は、文字の大きさを変化させることに限定されず、文字の太さを変化させても、文字の色を変化させてもよい。
【００６８】
また、本発明において、ウェブページ上に特定情報として表示される情報は、文字情報に限定されず、イメージ、画像でもよい。なお、特定情報は、データ上はウェブページを特定するＵＲＬが記載され、ウェブページ上では、ウェブサイト名や、ロゴが表示されるようになっている特定情報がある。この場合は、閲覧回数によって、ウェブサイト名や、ロゴの大きさを変化させる。
【００６９】
ここで、閲覧回数には、一ヶ月、一週間等の設定された期間内の閲覧回数を用いることが好ましい。このように一定期間とすることで、そのウェブページの人気を把握しやすくすることができる。つまり、ウェブページの作成当初から、または、サーバの使用開始時からの累計の閲覧回数では、そのウェブページが作成された時期によって閲覧回数のばらつきが発生する。つまり、作成されてから時間の経っているウェブページでは、人気に対して相対的な閲覧回数が多くなり、作成されてから間もないウェブページでは、人気に対して相対的な閲覧回数が少なくなる。これに対して、期間を設定することで、ウェブページの作成時期によらず、相対的な比較が出来るため、各ウェブページの人気を把握することができる。
【００７０】
また、閲覧回数を、設定された期間とする場合は、サーバ８がウェブページの送信要求を受信した時を基準として、その基準時以前の一定期間とすることが好ましい。これにより、操作者は、送信要求の送信時の直近の期間におけるウェブページの人気を把握することができる。
【００７１】
また、上記実施形態では、ウェブページの閲覧状態に係る情報を閲覧回数（アクセス数）、つまりページビューの回数として説明したが、本発明はこれに限定されず、アクセス数以外の閲覧状態に係る情報、例えば、ユニークアクセス数、有効ユーザ数を用いるようにしてもよい。
【００７２】
また、上述したサーバ８と携帯端末機器１０では、携帯端末機器１０で、ウェブページの閲覧回数に応じてウェブページ上の特定情報の表示態様を制御する処理を行ったが、つまり、上述のステップＳ３２からステップＳ４４（図５参照）の処理を行ったが、サーバ８内の加工部によりウェブページの閲覧回数に応じてウェブページ上の特定情報の表示態様を制御する処理を行い、表示態様を処理したウェブページのデータを携帯端末機器１０に送信するようにしてもよい。つまり、サーバ８が、上述のステップＳ２０とステップＳ２２（図４参照）との処理の間に、上述のステップＳ３２からステップＳ４４（図５参照）を行うようにしてもよい。このようにサーバ８側で処理を行うことで、携帯端末機器１０に掛ける処理負担を小さくすることができ、携帯端末機器１０の限られた処理能力を有効に利用することができる。また、このような場合には、予め携帯端末機器１０からサーバ８に表示態様の制御条件を送信して記憶させておくことが好ましい。このように表示態様の制御条件をサーバ８に記憶させておくことで、操作者の所望の条件で特定情報の表示態様が制御されたウェブページを取得し、表示させることができる。
【００７３】
なお、上記実施形態では、閲覧状況、具体的には、閲覧回数に基づいて特定情報の表示態様を制御したが、本発明はこれに限定されない。特定情報と関連付けるのは、ウェブページの特性を示す情報であればよく、例えば、ウェブページの内容の概略、分野を示すキーワードをタグとして用い、特定情報とキーワードとを関連付けた情報を特定情報検出部６４によって作成するようにしてもよい。この場合は、操作者が興味のあるキーワードをメモリ２４に記憶させておき、ウェブページの送信要求とともにキーワードをサーバ８に送信することで、ウェブページに含まれる特定情報のうち、興味のあるキーワードを有する特定情報を強調して表示させることができる。
【００７４】
また、上述した特定情報の表示態様の制御は、ウェブページが表示部よりも大きい場合、つまり、ウェブページ全体を閲覧するためには、画面をスクロールする必要がある場合のみ行い、ウェブページ全体を表示部に表示させることが出来る場合は、表示態様の制御を行わないようにしてもよい。これにより、画面をスクロールさせる場合は、そのスクロール量を少なくすることができ、かつ、特定情報を必要以上に小さくしてしまうことを抑制することができる。
【００７５】
また、上記実施形態では、いずれもウェブページに含まれる特定情報の表示を閲覧回数によって変化させたが、本発明はこれに限定されず、ブックマーク等携帯端末機器に記憶、保存されているウェブページを特定する特定情報についても閲覧回数等の情報を取得しておき、閲覧回数等に応じて特定情報の表示態様を変更するようにしてもよい。
【産業上の利用可能性】
【００７６】
以上のように、本発明にかかる携帯端末機器、サーバ、通信システム及び表示方法は、表示部にウェブページを表示させる携帯端末機器やそのような携帯端末機器にウェブページを送信するサーバ等に有用であり、特に、他のウェブページを特定する特定情報が複数含まれているウェブページを表示させることがある携帯電話機及び、そのような携帯電話機にウェブページを送信するサーバ等に用いることに適している。
【図面の簡単な説明】
【００７７】
【図１】本発明の通信システムを有するネットワークシステムの一実施形態の概略構成を示す模式図である。
【図２】図１に示すサーバ及び携帯端末機器の概略構成を示すブロック図である。
【図３】図２に示す携帯端末機器の外観を示す正面図である。
【図４】サーバの処理動作の一例を示すフロー図である。
【図５】携帯端末機器の処理動作の一例を示すフロー図である。
【図６−１】サーバの処理動作を説明するための説明図である。
【図６−２】サーバの処理動作を説明するための説明図である。
【図７−１】表示部に表示されるウェブページを模式的に示すイメージ図である。
【図７−２】表示部に表示されるウェブページを模式的に示すイメージ図である。
【符号の説明】
【００７８】
２  ネットワークシステム
４  ＰＣ
６、８  サーバ
７  ネットワーク回線
１０  携帯端末機器
１２  通信部
１４  制御部
１６  記憶部
２２  ＣＰＵ
２４  メモリ
２６  通信部
２８  操作部
３０  音声処理部
３２  表示部
４６  表示制御タスク
５０  マイク
５２  スピーカ
６０  通信制御部
６２  対応関係作成部
６４  特定情報検出部
【図１】
2010152746.tif 000003
【図２】
2010152746.tif 000004
【図３】
2010152746.tif 000005
【図４】
2010152746.tif 000006
【図５】
2010152746.tif 000007
【図６−１】
2010152746.tif 000008
【図６−２】
2010152746.tif 000009
【図７−１】
2010152746.tif 000010
【図７−２】
2010152746.tif 000011